(57)【要約】【課題】今後の動向を公表したくない企業にとっても利用し易いように、人材派遣の要請者と人材を派遣可能な提供者との仲介を支援する。【解決手段】人材派遣提供情報を登録するためのＤＢ１２１と、人材派遣要請情報を登録するＤＢ１２２と、端末２、３にＤＢ１２１、１２２に登録されている情報を提示する情報公開部１０５と、処理対象の人材派遣要請情報を少なくとも一部満足する人材派遣提供情報をＤＢ１２１から検索するスクリーニング部１０１と、処理対象の人材派遣要請情報とのマッチング度合いに基づいてスクリーニング部１０１で検索された人材派遣提供情報の中から一つ選択するアジャスティング部１０２と、端末２、３に情報を送信する情報送信部１０４とを有する。情報公開部１０５は、提示する情報の開示フラグ情報が「公開」の場合は要請者や提供者の情報を含めて提示し、「非公開」の場合は要請者や提供者の情報を提示しない。【選択図】図２
2005327190.tif 000002
【特許請求の範囲】
【請求項１】
ネットワークを介して端末に接続された、人材派遣の要請者と人材を派遣可能な提供者との仲介を支援する仲介支援装置であって、
要請者の情報と、当該要請者が派遣を要請する人材の条件を示す要請情報と、要請者の情報を非公開とするか否かを示す要請者開示フラグ情報とを有する人材派遣要請情報を登録するためのニーズＤＢと、
提供者の情報と、当該提供者が派遣可能な人材の条件を示す提供情報と、提供者の情報を非公開とするか否かを示す提供者開示フラグ情報とを有する人材派遣提供情報を登録するためのソースＤＢと、
前記ネットワークを介してアクセスしてきた端末に、前記ニーズＤＢに登録されている人材派遣要請情報または前記ソースＤＢに登録されている人材派遣提供情報を提示する情報提示手段と、
前記ニーズＤＢから人材派遣要請情報を読み出し、当該人材派遣要請情報の要請情報の内容を少なくとも一部満足する提供情報を有する人材派遣提供情報を、前記ソースＤＢから検索するスクリーニング手段と、
人材派遣提供情報の提供情報と前記読み出した人材派遣要請情報の要請情報とのマッチング度合いに基づいて、前記スクリーニング手段で検索された人材派遣提供情報の中から一つ選択するアジャスティング手段と、
前記読み出した人材派遣要請情報の要請者の情報により特定される端末に、前記アジャスティング手段により選択された人材派遣提供情報を送信し、あるいは、前記アジャスティング手段により選択された人材派遣提供情報の提供者の情報により特定される端末に、前記読み出した人材派遣要請情報を送信する送信手段と、を有し、
前記情報提示手段は、
前記ネットワークを介してアクセスしてきた端末に前記ソースＤＢの情報を提示する場合、前記ソースＤＢに登録されている人材派遣提供情報各々について、提供者開示フラグ情報が公開を示している場合は提供者の情報および提供情報を、一方、提供者開示フラグ情報が非公開を示している場合は提供情報のみを提示し、
前記ネットワークを介してアクセスしてきた端末に前記ニーズＤＢの情報を提示する場合、前記ニーズＤＢに登録されている人材派遣要請情報各々について、要請者開示フラグ情報が公開を示している場合は要請者の情報および要請情報を、一方、要請者開示フラグ情報が非公開を示している場合は要請情報のみを提示すること
を特徴とする仲介支援装置。
【請求項２】
請求項１記載の仲介支援装置であって、
前記ネットワークを介してアクセスしてきた端末から人材派遣要請情報を受付けて、前記ニーズＤＢに登録する要請者登録手段をさらに有すること
を特徴とする仲介支援装置。
【請求項３】
請求項１記載の仲介支援装置であって、
前記ネットワークを介してアクセスしてきた端末から人材派遣提供情報を受付けて、前記ソースＤＢに登録する提供者登録手段をさらに有すること
を特徴とする仲介支援装置。
【請求項４】
請求項１記載の仲介支援装置であって、
前記スクリーニング手段は、
提供情報に含まれている人数、期間、費用および技能の少なくとも１つが、前記読み出した人材派遣要請情報の要請情報に含まれている人数、期間、費用あるいは技能を満足する場合に、当該提供情報を前記少なくとも一部満足する提供情報とすること
を特徴とする仲介支援装置。
【請求項５】
請求項４記載の仲介支援装置であって、
前記アジャスティング手段は、
前記提供情報が満足する前記要請情報の人数、期間、費用および技能各々に付与された優先ポイントの合計に基づいて、前記提供情報と前記要請情報とのマッチング度合いを決定すること
を特徴とする仲介支援装置。
【請求項６】
ネットワークを介して端末に接続されたコンピュータが、人材派遣の要請者と人材を派遣可能な提供者との仲介を支援する仲介支援方法であって、
要請者の情報と、当該要請者が派遣を要請する人材の条件を示す要請情報と、要請者の情報を非公開とするか否かを示す要請者開示フラグ情報とを有する人材派遣要請情報を、前記ネットワークを介してアクセスしてきた端末から受付けて、前記コンピュータが備える、あるいは、前記ネットワークを介して前記コンピュータに接続されたニーズＤＢに、登録する要請者登録ステップと、
提供者の情報と、当該提供者が派遣可能な人材の条件を示す提供情報と、提供者の情報を非公開とするか否かを示す提供者開示フラグ情報とを有する人材派遣提供情報を、前記ネットワークを介してアクセスしてきた端末から受付けて、前記コンピュータが備える、あるいは、前記ネットワークを介して前記コンピュータに接続されたソースＤＢに、登録する提供者登録ステップと、
前記ネットワークを介してアクセスしてきた端末に、前記ニーズＤＢあるいは前記ソースＤＢに登録されている情報を提示する情報提示ステップと、
前記ニーズＤＢから人材派遣要請情報を読み出し、当該人材派遣要請情報の要請情報の内容を少なくとも一部満足する提供情報を有する人材派遣提供情報を、前記ソースＤＢから検索するスクリーニングステップと、
人材派遣提供情報の提供情報と前記読み出した人材派遣要請情報の要請情報とのマッチング度合いに基づいて、前記スクリーニングステップで検索された人材派遣提供情報の中から一つ選択するアジャスティングステップと、
前記読み出した人材派遣要請情報の要請者の情報により特定される端末に、前記アジャスティングステップにより選択された人材派遣提供情報を送信し、あるいは、前記アジャスティングステップにより選択された人材派遣提供情報の提供者の情報により特定される端末に、前記読み出した人材派遣要請情報を送信する送信ステップと、を行い、
前記情報提示ステップは、
前記ネットワークを介してアクセスしてきた端末に前記ソースＤＢの情報を提示する場合、前記ソースＤＢに登録されている人材派遣提供情報各々について、提供者開示フラグ情報が公開を示している場合は提供者の情報および提供情報を、一方、提供者開示フラグ情報が非公開を示している場合は提供情報のみを提示し、
前記ネットワークを介してアクセスしてきた端末に前記ニーズＤＢの情報を提示する場合、前記ニーズＤＢに登録されている人材派遣要請情報各々について、要請者開示フラグ情報が公開を示している場合は要請者の情報および要請情報を、一方、要請者開示フラグ情報が非公開を示している場合は要請情報のみを提示すること
を特徴とする仲介支援方法。
【請求項７】
人材派遣の要請者と人材を派遣可能な提供者との仲介を支援する、ネットワークを介して端末に接続されたコンピュータで読み取り可能なプログラムであって、
前記プログラムは、前記コンピュータに、
要請者の情報と、当該要請者が派遣を要請する人材の条件を示す要請情報と、要請者の情報を非公開とするか否かを示す要請者開示フラグ情報とを有する人材派遣要請情報を、前記ネットワークを介してアクセスしてきた端末から受付けて、前記コンピュータが備える、あるいは、前記ネットワークを介して前記コンピュータに接続されたニーズＤＢに、登録する要請者登録ステップと、
提供者の情報と、当該提供者が派遣可能な人材の条件を示す提供情報と、提供者の情報を非公開とするか否かを示す提供者開示フラグ情報とを有する人材派遣提供情報を、前記ネットワークを介してアクセスしてきた端末から受付けて、前記コンピュータが備える、あるいは、前記ネットワークを介して前記コンピュータに接続されたソースＤＢに、登録する提供者登録ステップと、
前記ネットワークを介してアクセスしてきた端末に、前記ニーズＤＢあるいは前記ソースＤＢに登録されている情報を提示する情報提示ステップと、
前記ニーズＤＢから人材派遣要請情報を読み出し、当該人材派遣要請情報の要請情報の内容を少なくとも一部満足する提供情報を有する人材派遣提供情報を、前記ソースＤＢから検索するスクリーニングステップと、
人材派遣提供情報の提供情報と前記読み出した人材派遣要請情報の要請情報とのマッチング度合いに基づいて、前記スクリーニングステップで検索された人材派遣提供情報の中から一つ選択するアジャスティングステップと、
前記読み出した人材派遣要請情報の要請者の情報により特定される端末に、前記アジャスティングステップにより選択された人材派遣提供情報を送信し、あるいは、前記アジャスティングステップにより選択された人材派遣提供情報の提供者の情報により特定される端末に、前記読み出した人材派遣要請情報を送信する送信ステップと、を行わせ、
前記情報提示ステップは、
前記ネットワークを介してアクセスしてきた端末に前記ソースＤＢの情報を提示する場合、前記ソースＤＢに登録されている人材派遣提供情報各々について、提供者開示フラグ情報が公開を示している場合は提供者の情報および提供情報を、一方、提供者開示フラグ情報が非公開を示している場合は提供情報のみを提示し、
前記ネットワークを介してアクセスしてきた端末に前記ニーズＤＢの情報を提示する場合、前記ニーズＤＢに登録されている人材派遣要請情報各々について、要請者開示フラグ情報が公開を示している場合は要請者の情報および要請情報を、一方、要請者開示フラグ情報が非公開を示している場合は要請情報のみを提示すること
を特徴とするコンピュータで読み取り可能なプログラム。
【発明の詳細な説明】
【技術分野】
【０００１】
本発明は、人材派遣の要請者と人材を派遣可能な提供者との仲介を支援する技術に関する。
【背景技術】
【０００２】
特許文献１には、派遣される人材と顧客とが、その人材が提供する技術の習熟度に関し、共通の認識をもてるようにした人材派遣システムが開示されている。また、特許文献２には、インターネットのウェブ上で、サイトのシステム運用者が何も手作業を必要とせず、人材派遣会社と人材派遣要請者とのマッチングを自動的に取り、特に飲食店のアルバイトに特化した、出勤管理からスキル管理、賃金管理までをきめ細かく行う人材派遣システムが開示されている。
【０００３】
【特許文献１】特開２００２-９９６５２号公報
【特許文献２】特開２００２-２８８４００号公報
【発明の開示】
【発明が解決しようとする課題】
【０００４】
近年、企業の合理化・再構築化により余剰の人材を抱えている企業がある。一方、短期的な業務や新規業務の立ち上げ等、一時的に人材が不足している企業もある。人材派遣システムを介して、余剰人材を抱えている企業が人材が不足している企業の情報を知ることができ、且つ、人材が不足している企業が余剰人材を抱えている企業の情報を知ることができれば、企業にとって人材派遣システムの利用価値が高まる。しかし、余剰人材や人材不足の情報を公表することは、企業の今後の動向を公表することにつながる。したがって、今後の動向を公表したくない企業にとっては、このことが人材派遣システムの利用を阻害する要因ともなり得る。
【０００５】
本発明は上記事情に鑑みてなされたものであり、本発明の目的は、今後の動向を公表したくない企業にとっても利用し易いように、人材派遣の要請者と人材を派遣可能な提供者との仲介を支援することにある。
【課題を解決するための手段】
【０００６】
上記課題を解決するために、本発明では、人材派遣要請情報が示す人材の要請内容を少なくとも一部満足する人材派遣提供情報を検索するスクリーニング処理と、人材派遣要請情報とのマッチング度合いに基づいてスクリーニング処理により検索された人材派遣提供情報の中から一つ選択するアジャスティング処理と、登録済みの人材派遣提供情報および人材派遣要請情報を提示する情報開示処理と、を行う。そして、情報開示処理において、人材派遣提供情報あるいは人材派遣要請情報に含まれるユーザ（提供者、要請者）の情報を非公開とするか否かを受付け、非公開とする旨を受け付けた場合は、当該ユーザの人材派遣提供情報あるいは人材派遣要請情報を提示する際に、ユーザの情報をマスキング処理する。
【０００７】
例えば、本発明は、ネットワークを介して端末に接続された、人材派遣の要請者と人材を派遣可能な提供者との仲介を支援する仲介支援装置であって、
要請者の情報と、当該要請者が派遣を要請する人材の条件を示す要請情報と、要請者の情報を非公開とするか否かを示す要請者開示フラグ情報とを有する人材派遣要請情報を登録するためのニーズＤＢと、
提供者の情報と、当該提供者が派遣可能な人材の条件を示す提供情報と、提供者の情報を非公開とするか否かを示す提供者開示フラグ情報とを有する人材派遣提供情報を登録するためのソースＤＢと、
前記ネットワークを介してアクセスしてきた端末に、前記ニーズＤＢに登録されている人材派遣要請情報または前記ソースＤＢに登録されている人材派遣提供情報を提示する情報提示手段と、
前記ニーズＤＢから人材派遣要請情報を読み出し、当該人材派遣要請情報の要請情報の内容を少なくとも一部満足する提供情報を有する人材派遣提供情報を、前記ソースＤＢから検索するスクリーニング手段と、
人材派遣提供情報の提供情報と前記読み出した人材派遣要請情報の要請情報とのマッチング度合いに基づいて、前記スクリーニング手段で検索された人材派遣提供情報の中から一つ選択するアジャスティング手段と、
前記読み出した人材派遣要請情報の要請者の情報により特定される端末に、前記アジャスティング手段により選択された人材派遣提供情報を送信し、あるいは、前記アジャスティング手段により選択された人材派遣提供情報の提供者の情報により特定される端末に、前記読み出した人材派遣要請情報を送信する送信手段と、を有する。
【０００８】
前記情報提示手段は、前記ネットワークを介してアクセスしてきた端末に前記ソースＤＢの情報を提示する場合、前記ソースＤＢに登録されている人材派遣提供情報各々について、提供者開示フラグ情報が公開を示している場合は提供者の情報および提供情報を、一方、提供者開示フラグ情報が非公開を示している場合は提供情報のみを提示し、
前記ネットワークを介してアクセスしてきた端末に前記ニーズＤＢの情報を提示する場合、前記ニーズＤＢに登録されている人材派遣要請情報各々について、要請者開示フラグ情報が公開を示している場合は要請者の情報および要請情報を、一方、要請者開示フラグ情報が非公開を示している場合は要請情報のみを提示する。
【発明の効果】
【０００９】
本発明によれば、人材派遣を要請したい要請者および人材を派遣したい提供者は、自身の情報を非公開として、人材派遣の要請内容や人材派遣の提供内容を公開できる。そして、仲介（アジャスティング）された相手にのみ、自身の情報を知らせることができる。したがって、今後の動向を公表したくない企業にとっても利用し易いように、人材派遣の要請者と人材を派遣可能な提供者との仲介を支援することができる。
【発明を実施するための最良の形態】
【００１０】
以下に、本発明の実施の形態を説明する。
【００１１】
図１は本発明の一実施形態が適用された仲介支援システムの概略構成を示す図である。
【００１２】
図示するように、仲介支援システムは、人材派遣の要請者が使用する要請者端末２と、人材を派遣可能な提供者が使用する提供者端末３と、人材派遣の要請者と人材を派遣可能な提供者との仲介を支援する仲介支援装置１とが、インターネット等のネットワーク４を介して、互いに接続されて構成されている。ここで、要請者端末２および提供者端末３は、Ｗｅｂブラウザ等の仲介支援装置１が公開する情報の閲覧機能およびメーラ等のネットワーク４に接続された他装置との通信機能を備えた、既存のネットワーク端末と同様であるので、その詳細な説明を省略する。
【００１３】
図２は、仲介支援装置１の概略構成を示す図である。
【００１４】
図示するように、仲介支援装置１は、演算部１００と、記憶部１２０と、キーボード、ディスプレイ、ＣＤ-ＲＯＭドライブ等の周辺装置と情報の入出力を行なう入出力部１４０と、ネットワーク４に接続するためのネットワークＩＦ（インターフェース）部１６０と、を有する。
【００１５】
記憶部１２０は、ソースＤＢ（データベース）１２１と、ニーズＤＢ１２２と、スクリーニングデータ記憶部１２３と、アジャスティングデータ記憶部１２４と、仲介履歴データ記憶部１２５とを有する。
【００１６】
ソースＤＢ１２１には、提供者端末３から受付けた人材派遣提供情報のレコードが登録される。図３は、ソースＤＢ１２１の登録内容例を示す図である。図示するように、人材派遣提供情報のレコード１２１０は、レコードのＩＤを登録するフィールド１２１１と、提供者の情報（提供者端末３のアドレス情報を含む）を登録するフィールド１２１２と、提供情報を登録するフィールド１２１３と、提供者の情報を非公開とするか否かを示す開示フラグ情報を登録するフィールド１２１４と、仲介済みか否かを示す仲介済フラグ１２１６と、を有する。提供情報を登録するフィールド１２１２は、さらに複数のサブフィールド１２１５を有し、これらのサブフィールド１２１５には、提供者が派遣可能な人材の人数、期間、費用、技能などの各提供条件が登録されている。
【００１７】
ニーズＤＢ１２２には、要請者端末２から受付けた人材派遣要請情報のレコードが登録される。図４は、ニーズＤＢ１２２の登録内容例を示す図である。図示するように、人材派遣要請情報のレコード１２２０は、レコードのＩＤを登録するフィールド１２２１と、要請者の情報（要請者端末２のアドレス情報を含む）を登録するフィールド１２２２と、要請情報を登録するフィールド１２２３と、要請者の情報を非公開とするか否かを示す開示フラグ情報を登録するフィールド１２２４と、仲介済みか否かを示す仲介済フラグ１２２６と、を有する。要請情報を登録するフィールド１２２２は、さらに複数のサブフィールド１２２５を有し、これらのサブフィールド１２２５には、要請者が派遣を要請する人材の人数、期間、費用、技能などの各要請条件がその優先ポイントと共に登録されている。ここで、優先ポイントは、例えば要請条件数をｎとした場合、最も優先度が高い要請条件の優先ポイントをｎ、それよりも１つ優先度が低い要請条件の優先ポイントをｎ-１、そして、最も優先度の低い要請条件の優先ポイントを１にするといったように、優先度が高いものほど、優先ポイントが大きくなるように設定する。
【００１８】
スクリーニングデータ記憶部１２３には、人材派遣要請情報のレコード１２２０毎に、スクリーニング部１０１での当該レコード１２２０に対するスクリーニング処理により抽出された少なくとも１つの人材派遣提供情報のレコード１２１０が登録される。
【００１９】
アジャスティングデータ記憶部１２４には、人材派遣要請情報のレコード１２２０毎に、アジャスティング部１０２での当該レコード１２２０に対するアジャスティング処理により選択された１つの人材派遣提供情報のレコード１２１０が登録される。
【００２０】
そして、仲介履歴データ記憶部１２５は、人材派遣要請情報のレコード１２２０のＩＤ１２２０毎に、当該レコード１２２０により特定される要請者に紹介した提供者であって、派遣交渉が成立しなかった提供者の人材派遣提供情報のレコード１２１０のＩＤが登録される。
【００２１】
演算部６００は、スクリーニング部１０１と、アジャスティング部１０２と、情報登録部１０３と、情報送信部１０４と、情報公開部（マスキング部）１０５とを有する。
【００２２】
スクリーニング部１０１は、スクリーニング処理を行う。ここで、スクリーニング処理とは、人材派遣要請情報のレコード１２２０に登録されている要請情報の少なくとも１部を満足する提供情報を有する人材派遣提供情報のレコード１２１０を、ソースＤＢ１２１から検索し、検索した人材派遣提供情報のレコード１２１０を、当該人材派遣要請情報のレコード１２２０と共にスクリーニングデータ記憶部１２３に記憶する処理である。
【００２３】
アジャスティング部１０２は、アジャスティング処理を行う。ここで、アジャスティング処理とは、要請情報と提供情報とのマッチング度合いに基づいて、人材派遣要請情報のレコード１２２０に対応付けてスクリーニングデータ記憶部１２３に記憶されている人材派遣提供情報のレコード１２１０の中から１つ選択し、選択された人材派遣提供情報のレコード１２１０を、当該人材派遣要請情報のレコード１２２０と共にアジャスティングデータ記憶部１２４に記憶する処理である。
【００２４】
情報公開部１０５は、例えばＷｅｂサーバであり、ネットワークＩＦ部１６０を介してアクセスしてきた端末２、３に、ソースＤＢ１２１に登録されている人材派遣提供情報のレコード１２１０、および、ニーズＤＢ１２２に登録されている人材派遣要請情報のレコード１２２０を提示する。この際、仲介済みフラグ１２１６、１２２６に「済」が登録されているレコード１２１０、１２２０は提示しない。また、開示フラグ１２１４、１２２４に「非公開」が登録されている場合、提供者の情報１２１１、要請者の情報１２２１は提示しない（マスキング処理）。また、情報公開部１０６は、例えばＣＧＩ（Common Gateway Interface）を利用して、ネットワークＩＦ部１６０を介してアクセスしてきた端末２、３から情報を受け取る。
【００２５】
情報登録部１０３は、情報公開部１０６を介して要請者端末２より受付けた人材派遣要請情報のレコード１２２０をニーズＤＢ１２２に登録する。また、情報公開部１０６を介して提供者端末３より受付けた人材派遣提供情報のレコード１２１０をソースＤＢ１２１に登録する。そして、情報送信部１０４は、例えば電子メールを利用して端末２、３に情報を送信する。
【００２６】
上記構成の仲介支援装置１は、例えば、図５に示すような、ＣＰＵ７１と、メモリ７２と、ハードディスク等の外部記憶装置７３と、ネットワーク４を介して他装置と通信を行うための通信装置７４と、キーボードやマウス等の入力装置７５と、モニタやプリンタ等の出力装置７６と、ＣＤ-ＲＯＭやＦＤ等の記憶媒体７９からデータを読み取る読取装置７７と、これらの各構成要素間のデータ送受を行うインターフェース７８とを備えた、一般的なコンピュータにおいて、ＣＰＵ７１がメモリ７２上にロードした所定のプログラムを実行することにより実現できる。この所定のプログラムは、読取装置７７を介して当該プログラムが記憶された記憶媒体７９から、あるいは、通信装置７４を介してネットワーク４から入手して、直接メモリ７２上にロードするか、もしくは、一旦、外部記憶装置７３に格納してから、メモリ７２上にロードすればよい。なお、記憶部１３０には外部記憶装置７３等が利用され、入出力部１４０には入力装置７５、出力装置７６および読取装置７７が利用され、そして、ネットワークＩＦ部１６０には通信装置７４が利用される。
【００２７】
次に、仲介支援装置１の動作について説明する。
【００２８】
図６は、仲介支援装置１の情報公開・登録動作を示すフロー図である。このフローは、ネットワークＩＦ部１６０を介して端末２、３からアクセスされると開始される。
【００２９】
先ず、情報公開部１０５は、アクセスしてきた要請者端末２あるいは提供者端末３（以下、アクセス端末と呼ぶ）にメニュー画面データ（例えばＷｅｂデータ）を送信し、アクセス端末のユーザから人材派遣要請情報あるいは人材派遣提供情報の閲覧要求、人材派遣要請情報あるいは人材派遣提供情報の登録要求、および、仲介結果の登録要求を受付けるためのメニュー画面を、アクセス端末に表示させる（Ｓ１０１）。
【００３０】
次に、情報公開部１０５は、アクセス端末から閲覧要求を受付けると（Ｓ１０２）、当該閲覧要求が人材派遣要請情報の閲覧要求ならば、ニーズＤＢ１２２から、フィールド１２２６の仲介済フラグが「未」の人材派遣要請情報のレコード１２２０（フィールド１２１２、１２１３、１２１４）を抽出し、人材派遣提供情報の閲覧要求ならば、ソースＤＢ１２１から、フィールド１２１６の仲介済フラグが「未」の人材派遣提供情報のレコード１２１０（フィールド１２２２、１２２３、１２２４）を抽出する（Ｓ１０３）。
【００３１】
次に、情報公開部１０５は、抽出したレコード１２１０、１２２０のマスキング処理を行う。つまり、抽出したレコード１２１０、１２２０各々のフィールド１２１４、１２２４に登録されている開示フラグを調べ、当該開示フラグが「非公開」ならば、レコード１２１０、１２２０からフィールド１２１２（提供者情報）、１２２２（要請者情報）を削除する。当該フラグが「公開」ならば、レコード１２１０、１２２０からフィールド１２１２、１２２２を削除する処理を行わない（Ｓ１０４）。
【００３２】
それから、情報公開部１０５は、マスキング処理された抽出レコード１２１０、１２２０を表示するための表示データ（例えばＷｅｂデータ）を生成して、アクセス端末に送信する。これにより、アクセス端末は、開示フラグが「公開」ならば、提供者情報、要請者情報を含めた人材派遣提供情報、人材派遣要請情報を表示し、「非公開」ならば、提供者情報、要請者情報が省略された人材派遣提供情報、人材派遣要請情報を表示することになる（Ｓ１０５）。
【００３３】
また、情報公開部１０５は、メニュー画面を介してアクセス端末から情報登録要求を受付けると（Ｓ１０６）、当該情報登録要求が人材派遣要請情報の登録要求ならば（Ｓ１０７）、アクセス端末に人材派遣要請情報入力画面データ（例えばＷｅｂデータ）を送信し、アクセス端末のユーザから人材派遣要請情報を構成する要請者の情報（要請者端末２のアドレス情報を含む）、要請情報（派遣を要請する人材の人数、期間、費用、技能などの各要請条件と各要請条件の優先ポイント）および開示フラグを受付ける（Ｓ１０８）。さて、情報公開部１０５が要請者の情報、要請情報および開示フラグを受付けると、情報登録部１０３は、ニーズＤＢ１２２に新たなレコード１２２０を追加し、フィールド１２２１にユニークなＩＤを、フィールド１２２６に仲介済フラグ「未」を、そして、フィールド１２２２〜１２２４に、アクセス端末のユーザより受付けた要請者情報、要請情報および開示フラグを登録する（Ｓ１０９）。
【００３４】
また、Ｓ１０７において、情報登録要求が人材派遣提供情報の登録要求ならば、アクセス端末に人材派遣提供情報入力画面データ（例えばＷｅｂデータ）を送信し、アクセス端末のユーザから人材派遣提供情報を構成する提供者の情報（提供者端末２のアドレス情報を含む）、提供情報（派遣可能な人材の人数、期間、費用、技能などの各提供条件）および開示フラグを受付ける（Ｓ１１０）。さて、情報公開部１０５が提供者の情報、提供情報および開示フラグを受付けると、情報登録部１０３は、ソースＤＢ１２１に新たなレコード１２１０を追加し、フィールド１２１１にユニークなＩＤを、フィールド１２１６に仲介済フラグ「未」を、そして、フィールド１２１２〜１２１４に、アクセス端末のユーザより受付けた提供者情報、提供情報および開示フラグを登録する（Ｓ１１１）。
【００３５】
また、情報公開部１０５は、メニュー画面を介してアクセス端末（要請者端末２）から仲介結果登録要求を受付けると（Ｓ１１２）、人材派遣要請情報のレコード１２２０のＩＤおよび派遣交渉の成否を受付けるための入力画面データ（例えばＷｅｂデータ）を、アクセス端末に送信し、アクセス端末のユーザからこれらの情報を受付ける（Ｓ１１３）。さて、情報公開部１０５が人材派遣要請情報のレコード１２２０のＩＤおよび派遣交渉の成否を受付けると、情報登録部１０３は、当該派遣交渉の成否を調べる（Ｓ１１４）。当該派遣交渉の成否が不成立（仲介失敗）を示しているばらば、当該人材派遣要請情報のレコード１２２０に対応付けてアジャスティングデータ記憶部１２４に記憶されている人材派遣提供情報のレコード１２１０を特定する。そして、仲介履歴データ記憶部１２５に、特定した人材派遣提供情報のレコード１２１０のＩＤを、当該人材派遣要請情報のレコード１２２０のＩＤに対応付けて登録する（Ｓ１１５）。それから、ニーズＤＢ１２２に登録されている当該人材派遣要請情報のレコード１２２０の仲介済フラグを「未」に変更すると共に、ソースＤＢ１２１に登録されている当該人材派遣提供情報のレコード１２１０の仲介済フラグを「未」に変更する（Ｓ１１６）。それから、当該人材派遣要請情報のレコード１２２０を含むアジャスティングデータをアジャスティングデータ記憶部１２４から削除する（Ｓ１１８）。
【００３６】
一方、Ｓ１１４において、当該派遣交渉の成否が成立（仲介成功）を示しているばらば、当該人材派遣要請情報のレコード１２２０に対応付けてアジャスティングデータ記憶部１２４に記憶されている人材派遣提供情報のレコード１２１０を特定する。それから、ニーズＤＢ１２２に登録されている当該人材派遣要請情報のレコード１２２０を削除すると共に、ソースＤＢ１２１に登録されている当該人材派遣提供情報のレコード１２１０を削除する（Ｓ１１７）。それから、当該人材派遣要請情報のレコード１２２０を含むアジャスティングデータをアジャスティングデータ記憶部１２４から削除する（Ｓ１１８）。
【００３７】
図７は、仲介支援装置１の仲介支援動作を示すフロー図である。このフローは、定期的に、あるいは、入出力部１４０がユーザから指示を受付けることにより開始される。
【００３８】
先ず、スクリーニング部１０１は、ニーズＤＢ１２２から、仲介済フラグ１２２６が「未」の人材派遣要請情報のレコード１２２０を１つ読み出す（Ｓ２０１）。次に、読み出した人材派遣要請情報のレコード１２２０に対してスクリーニング処理を行い、当該読み出したレコード１２２０のフィールド１２２３に登録されている要請情報の少なくとも一部を満足する提供情報がフィールド１２１３に登録されている人材派遣提供情報のレコード１２１０を、ソースＤＢ１２１から読み出す。
【００３９】
本実施形態では、次に示す（Ａ１）〜（Ａ４）の何れかを満足する人材派遣提供情報のレコード１２１０を、ソースＤＢ１２１から全て読み出す。
【００４０】
（Ａ１）サブフィールド１２１５の技能が、スクリーニング処理対象である人材派遣要請情報のレコード１２２０のサブフィールド１２２５の技能と一致する。
【００４１】
（Ａ２）サブフィールド１２１５の人数が、スクリーニング処理対象である人材派遣要請情報のレコード１２２０のサブフィールド１２２５の人数以上である。
【００４２】
（Ａ３）サブフィールド１２１５の期間が、スクリーニング処理対象である人材派遣要請情報のレコード１２２０のサブフィールド１２２５の期間を含む。
【００４３】
（Ａ４）サブフィールド１２１５の費用が、スクリーニング処理対象である人材派遣要請情報のレコード１２２０のサブフィールド１２２５の費用以下である。
【００４４】
そして、スクリーニング処理により読み出した人材派遣提供情報レコード１２１０と、スクリーニング処理対象である人材派遣要請情報のレコード１２２０とを含むスクリーニングデータを、スクリーニングデータ記憶部１２３に記憶する（Ｓ２０２）。
【００４５】
次に、スクリーニング部１０１は、ニーズＤＢ１２２に登録されているスクリーニング処理対象である人材派遣要請情報のレコード１２２０の仲介済フラグを、「未」から「済」に変更する（Ｓ２０３）。
【００４６】
それから、スクリーニング部１０１は、仲介済みフラグが「未」の人材派遣要請情報のレコード１２２０がニーズＤＢ１２０に残っているか否かを調べ（Ｓ２０４）、残っているならばＳ２０１に戻り、残っていないならばＳ２０５へ進み、処理をアジャスティング部１０２に渡す。
【００４７】
Ｓ２０５において、アジャスティング部１０２は、スクリーニングデータ記憶部１２３から、スクリーニングデータを１つ読み出す。また、読み出したスクリーニングデータをスクリーニングデータ記憶部１２３から削除する。次に、当該スクリーニングデータに含まれている人材派遣要請情報のレコード１２２０に対してアジャスティング処理を行い、当該レコード１２２０とのマッチング度合いが最も高い人材派遣提供情報のレコード１２１０を、当該スクリーニングデータの中から選択する。但し、スクリーニングデータに含まれている人材派遣提供情報のレコード１２１０のうち、ソースＤＢ１２２に登録されている仲介済フラグが「済」の人材派遣提供情報のレコード１２１０、および、アジャスティング処理対象である人材派遣要請情報のレコード１２２０のＩＤに対応付けられてＩＤが仲介履歴データ記憶部１２５に登録されている人材派遣提供情報のレコード１２１０は、選択対象から除外する。
【００４８】
本実施形態では、スクリーニングデータに含まれている人材派遣提供情報のレコード１２１０各々について、フィールド１２１３に登録されている提供情報の各提供条件（人数、期間、費用、技能）と、アジャスティング処理対象の人材派遣要請情報のレコード１２２０のフィールド１２２３に登録されている要請情報の各要請条件（人数、期間、費用、技能）とを比較する。そして、次の（Ｂ１）〜（Ｂ４）により優先ポイント合計を算出し、優先ポイント合計が高いものほど、マッチング度合いが高いものとしている。
【００４９】
（Ｂ１）サブフィールド１２１５の技能が、アジャスティング処理対象である人材派遣要請情報のレコード１２２０のサブフィールド１２２５の技能と一致する場合、当該サブフィールド１２２５の技能に付与された優先ポイントを、優先ポイント合計に加算する。
【００５０】
（Ｂ２）サブフィールド１２１５の人数が、アジャスティング処理対象である人材派遣要請情報のレコード１２２０のサブフィールド１２２５の人数以上である場合、当該サブフィールド１２２５の人数に付与された優先ポイントを、優先ポイント合計に加算する。
【００５１】
（Ｂ３）サブフィールド１２１５の期間が、アジャスティング処理対象である人材派遣要請情報のレコード１２２０のサブフィールド１２２５の期間を含む場合、当該サブフィールド１２２５の期間に付与された優先ポイントを、優先ポイント合計に加算する。
【００５２】
（Ｂ４）サブフィールド１２１５の費用が、アジャスティング処理対象である人材派遣要請情報のレコード１２２０のサブフィールド１２２５の費用以下である場合、当該サブフィールド１２２５の費用に付与された優先ポイントを、優先ポイント合計に加算する。
【００５３】
そして、アジャスティング処理により選択した人材派遣提供情報レコード１２１０と、アジャスティング処理対象である人材派遣要請情報のレコード１２２０と、「未」に設定された仲介済フラグとを含むアジャスティングデータを、アジャスティングデータ記憶部１２３に記憶する（Ｓ２０６）。
【００５４】
次に、アジャスティング部１０２は、ソースＤＢ１２２に登録されている、アジャスティング処理により選択した人材派遣提供情報レコード１２１０の仲介済フラグを、「未」から「済」に変更する（Ｓ２０７）。
【００５５】
それから、アジャスティング部１０２は、スクリーニングデータ記憶部１２３にスクリーニングデータが残っているか否かを調べ（Ｓ２０８）、残っているならばＳ２０５に戻り、残っていないならばＳ２０９へ進み、処理を情報送信部１０２に渡す。
【００５６】
Ｓ２０９において、情報送信部１０４は、アジャスティングデータ記憶部１２４から、仲介済フラグが「未」のアジャスティングデータを１つ読み出す。次に、当該アジャスティングデータに含まれている人材派遣要請情報のレコード１２２０のフィールド１２２２に登録されている要請者の情報により特定される要請者端末２に、当該人材派遣要請情報のレコード１２２０と、当該アジャスティングデータに含まれている人材派遣提供情報のレコード１２１０とを送信する（Ｓ２１０）。それから、当該アジャスティングデータの仲介済フラグを「未」から「済」に変更する（Ｓ２１１）。
【００５７】
それから、情報送信部１０４は、アジャスティングデータ記憶部１２４に仲介済フラグが「未」のアジャスティングデータが残っているか否かを調べ（Ｓ２１２）、残っているならばＳ２０９に戻り、残っていないならば処理を終了する。
【００５８】
以上、本発明の一実施形態について説明した。本実施形態によれば、人材派遣を要請したい要請者および人材を派遣したい提供者は、自身の情報を非公開として、人材派遣の要請内容や人材派遣の提供内容を公開できる。そして、仲介（アジャスティング）された相手にのみ、自身の情報を知らせることができる。したがって、今後の動向を公表したくない企業等にとっても利用し易いように、人材派遣の要請者と人材を派遣可能な提供者との仲介を支援することができる。
【００５９】
なお、本発明は上記の実施形態に限定されるものではなく、その要旨の範囲内で数々の変形が可能である。例えば、上記の実施形態では、仲介支援装置１がソースＤＢ１２１、ニーズＤＢ１２２を備えている場合を例にとり説明したが、ソースＤＢ１２１、ニーズＤＢ１２２は、仲介支援装置１とは別のコンピュータに設けられていてもよい。
【００６０】
また、上記の実施形態では、スクリーニング処理として、スクリーニング処理対象の人材派遣要請情報のレコード１２２０に登録されている要請情報の少なくとも一部を満足する提供情報を有する人材派遣提供情報のレコード１２１０を、ソースＤＢ１２１から読み出している。ここで、少なくとも一部を満足する提供情報を持つ人材派遣提供情報のレコード１２１０として、要請情報に含まれている一致する文言（キーワード）を有する人材派遣提供情報のレコード１２１０を検索するようにしてもよい。
【００６１】
また、上記の実施形態では、アジャスティング処理として、アジャスティング処理対象の人材派遣要請情報のレコード１２２０に登録されている要請情報とのマッチング度合いが高い提供情報を有する人材派遣提供情報のレコード１２１０を、スクリーニング処理により検索された人材派遣提供情報のレコード１２１０の中から選択している。ここで、マッチング度合いが高い提供情報を有する人材派遣提供情報のレコード１２１０として、優先度（優先ポイント）の高い要請条件を満足する提供条件を有する人材派遣提供情報のレコード１２１０を選択するようにしてもよい。
【００６２】
また、上記の実施形態では、アジャスティングデータに含まれている人材派遣要請情報のレコード１２２０により特定される要請者端末２に、当該アジャスティングデータに含まれている人材派遣提供情報のレコード１２２０を送信するようにしているが、アジャスティングデータに含まれている人材派遣提供情報のレコード１２１０により特定される提供者端末３に、当該アジャスティングデータに含まれている人材派遣要請情報のレコード１２１０を送信するようにしてもうよい。この場合、図６のＳ１１２において、情報公開部１０５は、メニュー画面を介してアクセス端末（提供者端末３）から仲介結果登録要求を受付け、Ｓ１１３により、人材派遣提供情報のレコード１２１０のＩＤおよび派遣交渉の成否を受付けるための入力画面データ（例えばＷｅｂデータ）を、アクセス端末に送信し、アクセス端末のユーザからこれらの情報を受付けるようにしてもよい。そして、人材派遣提供情報のレコード１２１０のＩＤをキーとして、アジャスティングデータ記憶部１２４からアジャスティングデータを検索するようにしてもよい。
【図面の簡単な説明】
【００６３】
【図１】図１は本発明の一実施形態が適用された仲介支援システムの概略構成を示す図である。
【図２】図２は仲介支援装置１の概略構成を示す図である。
【図３】図３はソースＤＢ１２１の登録内容例を示す図である。
【図４】図４はニーズＤＢ１２２の登録内容例を示す図である。
【図５】図５は仲介支援装置１のハードウエア構成例を示す図である。
【図６】図６は仲介支援装置１の情報公開・登録動作を示すフロー図である。
【図７】図７は仲介支援装置１の仲介支援動作を示すフロー図である。
【符号の説明】
【００６４】
１：仲介支援装置、２：要請者端末、３：提供者端末、４：ネットワーク、１００：演算部、１２０：記憶部、１４０：入出力部、１６０：ネットワークＩＦ部
【図１】
2005327190.tif 000003
【図２】
2005327190.tif 000004
【図３】
2005327190.tif 000005
【図４】
2005327190.tif 000006
【図５】
2005327190.tif 000007
【図６】
2005327190.tif 000008
【図７】
2005327190.tif 000009